(57)【要約】【課題】液体を噴射する液体噴射装置に関する技術を提供する。【解決手段】液体をパルス状に噴射する液体噴射装置であって、液体を噴射する噴射口を備える噴射流路と、外部から供給される液体を加圧してパルス流を噴射流路に送り出すアクチュエーターと、液体を吸引することが可能な吸引口を備える吸引流路と、吸引流路の一部とアクチュエーターとを収容し、一端から噴射流路が延出された収容器とを備え、噴射流路は、噴射口側で吸引流路と近接して配置され、収容器内において湾曲されて吸引流路から分離し、吸引流路は、噴射流路が分離する部分において、直線状または噴射流路の湾曲より小さい曲率の曲線状とされる。【選択図】図２
2014188241.tif 000002
【特許請求の範囲】
【請求項１】
液体をパルス状に噴射する液体噴射装置であって、
前記液体を噴射する噴射口を備える噴射流路と、
外部から供給される液体を加圧してパルス流を前記噴射流路に送り出すアクチュエーターと、
液体を吸引することが可能な吸引口を備える吸引流路と、
前記吸引流路の一部と前記アクチュエーターとを収容し、一端から前記噴射流路が延出された収容器と、
を備え、
前記噴射流路は、前記噴射口側で前記吸引流路と近接して配置され、前記収容器内において湾曲されて前記吸引流路から分離し、
前記吸引流路は、前記噴射流路が前記分離する部分において、直線状または前記噴射流路の湾曲より小さい曲率の曲線状とされた
液体噴射装置。
【請求項２】
請求項１記載の液体噴射装置であって、
前記噴射流路は、前記吸引流路と一体的に配置されている第１の流路と、前記吸引流路と分離している第２の流路とを含んで構成され、
前記分離後の第２の流路は、前記収容器内において前記収容器の長軸方向、または、前記吸引流路に略平行に配置されている
液体噴射装置。
【請求項３】
請求項１または請求項２に記載の液体噴射装置であって、
前記吸引流路は、前記収容器の内部において、前記噴射流路を内側に挿通して前記収容器の先端から外部に引き出され、前記噴射流路の外壁と前記吸引流路の内壁との間に前記吸引した液体が流通する流路を形成する
液体噴射装置。
【請求項４】
請求項１から請求項３のいずれか一項に記載の液体噴射装置であって、
前記吸引流路は、吸引の程度を調整する吸引調整穴を有し、
前記吸引調整穴は、前記噴射流路が分離した後の前記吸引流路上に設けられている
液体噴射装置。
【請求項５】
請求項１から請求項４のいずれか一項に記載の液体噴射装置を用いた医療機器。
【発明の詳細な説明】
【技術分野】
【０００１】
本発明は、液体を噴射する液体噴射装置、および当該液体噴射装置を用いた医療機器の技術に関する。
【背景技術】
【０００２】
液体を噴射する液体噴射装置に関する技術としては、例えば、下記特許文献１の技術が知られている。特許文献１に記載の液体噴射装置は、噴射流路から噴射した液体で切除した切除物を吸引流路で吸引して除去する技術が記載されている。
【先行技術文献】
【特許文献】
【０００３】
【特許文献１】特開２０１１−１７７４０７号公報
【発明の概要】
【発明が解決しようとする課題】
【０００４】
上記特許文献１の液体噴射装置は、液体を加圧するアクチュエーターから直線上に引き出された噴射流路に対して吸引管を外挿しており、アクチュエーターにより加圧した圧力流体を噴射口まで導くという点で優れた構造となっている。また、吸引管の吸引口が噴射口の直ぐ近傍に位置するため、噴射した液体により切除された切除物を効率的に吸引できるという点でも優れていた。
【０００５】
かかる構造の利点を生かしつつ、更に吸引流路の流路抵抗を低減して、吸引流路の詰まりなどが生じにくい構造が追求された。また、液体噴射装置においては、その小型化や、低コスト化、省資源化、製造の容易化や使い勝手の向上が望まれていた。
【課題を解決するための手段】
【０００６】
本発明は、上述の課題の少なくとも一部を解決するためになされたものであり、以下の形態として実現することが可能である。
【０００７】
（１）本発明の一形態によれば、液体噴射装置が提供される。この液体噴射装置は、前記液体を噴射する噴射口を備える噴射流路と；外部から供給される液体を加圧してパルス流を前記噴射流路に送り出すアクチュエーターと；液体を吸引することが可能な吸引口を備える吸引流路と；前記吸引流路の一部と前記アクチュエーターとを収容し、一端から前記噴射流路が延出された収容器とを備える。この噴射流路は、前記噴射口側で前記吸引流路と近接して配置され、前記収容器内において湾曲されて前記吸引流路から分離し、前記吸引流路は、前記噴射流路が前記分離する部分において、直線状または前記噴射流路の湾曲より小さい曲率の曲線状とされる。この形態の液体噴射装置によれば、噴射流路は湾曲されて吸引流路から分離しているので、吸引流路が噴射流路に対して曲がることによって分離する場合と比較して、吸引流路内に吸引物が詰まることを抑制し、スムーズに吸引を行うことができる。また、吸引流路は、噴射流路が分離する部分において、直線状または噴射流路より小さい曲率の曲線状とされるので、さらに、吸引した吸引物が詰まることを抑制することができる。また、噴射流路は湾曲されて分離しているが、噴射流路は液体の加圧が伝搬できれば湾曲していてよい。また、噴射流路を湾曲に曲げることで把持したときの指などで視界が妨げられないようにできる。
【０００８】
（２）上記形態の液体噴射装置において前記収容器は柱状形状であり；前記噴射流路は、前記吸引流路と一体的に配置されている第１の流路と、前記吸引流路と分離している第２の流路とを含んで構成され、前記分離後の第２の流路は、前記収容器内において前記収容器の長軸方向、または、前記吸引流路に略平行に配置されているとしてもよい。これにより、収容器の長軸方向に垂直な断面の経が拡大することを抑制することができる。また、前記噴射流路と前記吸引流路とが、前記収容器から外部に引き出される際に同じ方向になるので、噴射流路と吸引流路がまとまり易くなる。
【０００９】
（３）上記形態の液体噴射装置において、前記吸引流路は、前記収容器の内部において、前記噴射流路を内側に挿通して前記収容器の先端から外部に引き出され、前記噴射流路の外壁と前記吸入管の内壁との間に前記吸引した液体が流通する流路を形成するものとしてもよい。この形態の液体噴射装置によると、収容器から引き出される噴射流路と吸引流路とを合わせた経を細くすることができる。
【００１０】
（４）上記形態の液体噴射装置において、前記吸引流路は、吸引の程度を調整する吸引調整穴を有し；前記吸引調整穴は、前記噴射流路が分離した後の前記吸引流路上に設けられているものとしてもよい。この形態の液体噴射装置によれば、吸引調整穴の開閉による吸引流路内の圧力に変化の影響が噴射流路に及ぶことを抑制することができ、安定したパルス流を噴射できる。また、吸引流路は、直線状または湾曲より小さい曲率の曲線状なので、使用者が吸引の作用する位置と操作する吸引調整穴との位置関係が感覚的に分り易くなり使い勝手が向上する。
【００１１】
（５）上記形態の液体噴射装置を用いた医療機器。この形態の医療機器によれば、吸引流路が吸引物で詰まることを抑制することができる。
【００１２】
上述した本発明の各形態の有する複数の構成要素はすべてが必須のものではなく、上述の課題の一部又は全部を解決するため、あるいは、本明細書に記載された効果の一部又は全部を達成するために、適宜、前記複数の構成要素の一部の構成要素について、その変更、削除、新たな他の構成要素との差し替え、限定内容の一部削除を行うことが可能である。また、上述の課題の一部又は全部を解決するため、あるいは、本明細書に記載された効果の一部又は全部を達成するために、上述した本発明の一形態に含まれる技術的特徴の一部又は全部を上述した本発明の他の形態に含まれる技術的特徴の一部又は全部と組み合わせて、本発明の独立した一形態とすることも可能である。
【００１３】
例えば、本発明の一形態は、噴射流路と、アクチュエーターと、収容器と、吸引流路との４つの要素の内の一つ以上の要素を備えた装置として実現可能である。すなわち、この装置は、噴射流路を有していてもよく、有していなくてもよい。また、装置は、アクチュエーターを有していてもよく、有していなくてもよい。また、装置は、収容器を有していてもよく、有していなくてもよい。また、装置は、吸引流路を有していてもよく、有していなくてもよい。噴射流路は、例えば、液体を噴射する噴射口を有する噴射流路として構成されてもよい。アクチュエーターは、外部から供給される液体を加圧してパルス流を噴射流路に送り出すアクチュエーターとして構成されてもよい。収容器は、例えば、一端に噴射流路を備え、アクチュエーターを内部に収容する収容器として構成されてもよい。吸引流路は、例えば、噴射された液体を吸引することが可能な吸引口を備える吸引流路として構成されてもよい。こうした装置は、例えば、液体噴射装置として実現できるが、液体噴射装置以外の他の装置としても実現可能である。このような形態によれば、装置の小型化や、低コスト化、省資源化、製造の容易化、使い勝手の向上等の種々の課題の少なくとも１つを解決することができる。前述した液体噴射装置の各形態の技術的特徴の一部又は全部は、いずれもこの装置に適用することが可能である。
【００１４】
本発明は、装置以外の種々の形態で実現することも可能である。例えば、液体を噴射する方法や液体噴射装置の製造方法等の形態で実現することができる。
【図面の簡単な説明】
【００１５】
【図１】液体噴射装置の構成を説明する説明図である。
【図２】ハンドピースの内部構造を説明する説明図である。
【図３】変形例１としてのハンドピースの一例を示す説明図である。
【発明を実施するための形態】
【００１６】
Ａ．第１実施形態：
図１は、本発明の第１実施形態としての液体噴射装置１０の構成を説明する説明図である。本実施形態の液体噴射装置１０は、医療機関において利用される医療機器であり、患部に対して液体を噴射することによって患部の切開または切除を行うメスとしての機能を有している。
【００１７】
液体噴射装置１０は、収容器としてのハンドピース２０と、液体供給部５０と、吸引装置６０と、制御部７０とを備え、液体容器８０に接続されている。液体供給部５０と液体容器８０とは、接続チューブ５１によって接続されている。液体供給部５０とハンドピース２０とは、液体供給流路５２によって接続されている。本実施形態においては、接続チューブ５１、液体供給流路５２は、樹脂によって形成されている。
【００１８】
液体容器８０は、液体として生理食塩水を収容している。液体供給部５０は、接続チューブ５１を介して液体容器８０から吸引した液体を、液体供給流路５２を介してハンドピース２０に供給する。なお、本実施形態においては、液体として生理食塩水を採用したが、それに限らず、無菌水や、純水など、種々の液体を採用することができる。
【００１９】
ハンドピース２０は、液体噴射装置１０の使用者が把持して操作する器具である。ハンドピース２０は、アクチュエーター３０と、噴射管５５と、噴射口５８と、吸引力調整機構６５を備える。噴射管５５に沿った方向を長軸方向とする。液体供給部５０から液体供給流路５２を介してハンドピース２０に供給された液体は、アクチュエーター３０によって所定の周波数の脈動が付与され、噴射管５５に供給される。噴射管５５に供給された液体は、噴射口５８からパルス状の液体として噴射される。使用者は、噴射口５８から噴射されるパルス状の液体を患者の患部に当てることによって、患部の切開または切除を行う。本実施形態においては、噴射管５５は、ステンレスによって形成されている。ただし、噴射管５５は、真鍮等の他の金属や強化プラスチックなど、所定以上の剛性を有する材料によって形成されているとしてもよい。吸引力調整機構６５は、吸引装置６０による吸引の程度を、使用者が調整可能とするための機構である。本実施形態においては、吸引の程度として、単位時間当たりの吸引量を採用する。
【００２０】
制御部７０は、信号ケーブル７２を介してアクチュエーター３０に駆動信号を送信するとともに、制御ケーブル７１を介して液体供給部５０を制御することによって、アクチュエーター３０に供給される液体の流量の制御を行う。制御部７０には、使用者が足元で操作するフットスイッチ７５が接続されている。使用者がフットスイッチ７５をオンにすると、制御部７０は、液体供給部５０を制御して、アクチュエーター３０に液体の供給を行わせるとともに、アクチュエーター３０に駆動信号を送信して、アクチュエーター３０に供給された液体に脈動を付与し、噴射口５８からパルス状の液体を噴射する。なお、液体をパルス状に噴射するとは、噴射される液体の流量または流速が変動を伴った状態で液体が噴射されることを意味する。この液体をパルス状に噴射する態様には、液体の噴射と停止とを繰り返しながら噴射する間欠噴射が含まれるが、液体の流量または流速が変動していればよいため、必ずしも間欠噴射である必要はない。
【００２１】
吸引装置６０は、噴射口５８周辺の液体や切除物など（以下、吸引物とも呼ぶ）を吸引する装置である。吸引装置６０とハンドピース２０とは、吸引流路６２によって接続されている。吸引流路６２は、ハンドピース２０内を通って、噴射管５５の先端近傍まで延出されている。噴射管５５は吸引流路６２の内側を挿通している。図１のＡ方向矢視図に示すように、噴射管５５の外壁と吸引流路６２の内壁との間には、吸引流路６２の先端である吸引口６４から吸引された液体が流通する流路（以下、隙間流路とも呼ぶ）が形成される。吸引口６４から隙間流路に流入した液体は、吸引流路６２を介して吸引装置６０に吸引される。吸引口６４から吸引される単位時間当たりの吸引量は、使用者が吸引力調整機構６５を操作することによって調整可能である。
【００２２】
図２は、ハンドピース２０の内部構造を説明する説明図である。上述のように、ハンドピース２０の内部には、アクチュエーター３０が収容されている。図の下部に示したように、アクチュエーター３０は、第１ケース３１、第２ケース３２、第３ケース３３、ボルト３４、圧電素子３５、補強板３６、ダイアフラム３７、パッキン３８、入口流路４０、出口流路４１を備える。第１ケース３１と第２ケース３２とは対向して接合されている。第１ケース３１は筒状部材である。第１ケース３１の一方の端部は、第３ケース３３をボルト３４で固定することによって密閉されている。第１ケース３１の内部に形成される空間には圧電素子３５が配設されている。
【００２３】
圧電素子３５は、積層型圧電素子である。圧電素子３５の一方の端部は、補強板３６を介してダイアフラム３７に固着している。圧電素子３５の他方の端部は、第３ケース３３に固着している。ダイアフラム３７は金属薄膜からなり、周縁部が第１ケース３１に固着している。ダイアフラム３７と第２ケース３２との間には液体室３９が形成される。液体室３９は、圧電素子３５の駆動によって容積が変更する。
【００２４】
第２ケース３２には、液体が流入する入口流路４０と、液体が流出する出口流路４１とが形成されている。入口流路４０は、第２ケース３２の端面の中心から偏った位置から延出し、図示上方向にＵ字状に曲げられ、ハンドピース２０の後端部２２に向かって延伸する。このように入口流路４０を曲げることで、入口流路４０のＵ字部分の曲率を小さくすることができる。また、後端部２２に向かって延伸する入口流路４０とアクチュエーター３０とを合わせた幅を小さくすることができ、結果として、アクチュエーター３０および入口流路４０を収容するハンドピース２０を細くすることができる。さらに、入口流路４０をアクチュエーター３０の先端部２４側から延伸させることで、ハンドピース２０の重心を先端部２４側に位置させることができる。
【００２５】
入口流路４０には、液体供給流路５２が接続されている。出口流路４１には、接続チューブ５４を介して噴射管５５が接続されている。接続チューブ５４と噴射管５５との２つの管路からなる流路を噴射流路５３とも呼ぶ。液体供給部５０から供給された液体は、液体供給流路５２を介して液体室３９に供給される。圧電素子３５が所定の周波数で振動すると、ダイアフラム３７を介して液体室３９の容積が変化し、収容されている液体が加圧される。加圧された液体は、出口流路４１、接続チューブ５４、噴射管５５を通って噴射口５８から吐出される。
【００２６】
吸引流路６２は、ハンドピース２０の後端部２２から先端部２４へ亘って連通している。ハンドピース２０の内部において、吸引流路６２は噴射流路５３を内挿する。吸引流路６２は、噴射管５５とともにハンドピース２０の先端部２４から引き出されている。
【００２７】
ハンドピース２０の内部における噴射流路５３と吸引流路６２とは分離している。この２つの流路の分離部分においては、噴射流路５３が吸引流路６２に対して湾曲して分離する。分離部分においては、噴射流路５３は、緩やかに湾曲し、曲率がより小さくなることが好ましい。分離部分においては、吸引流路６２は略直線状に配置されている。なお、本実施形態においては、分離部分においては、吸引流路６２は略直線状に配置されている態様を採用するが、吸引流路６２は、分離部分において、噴射流路の湾曲より小さい曲率の曲線状に配置されているとしてもよい。
【００２８】
噴射流路５３を構成する管路のうち、接続チューブ５４は、吸引流路６２から分離後に、柱状形状であるハンドピース２０の長軸方向に略平行に配置され、出口流路４１に接続される。また、本実施形態においては、分離後の接続チューブ５４は、吸引流路６２に略平行に配置される。
【００２９】
吸引流路６２が吸引口６４から液体等を吸引する吸引する吸引力は、吸引装置６０で調整可能であるとともに、ハンドピース２０が備える吸引力調整機構６５の操作部６６を使用者が操作することによって調整可能である。
【００３０】
吸引力調整機構６５は、操作部６６と、吸引調整穴６７とを備える。吸引力調整機構６５は樹脂によって形成された部材である。吸引力調整機構６５の内部には、吸引流路６２の一部を構成する流路が形成されている。実際には、吸引力調整機構６５に形成された流路の両端に吸引流路６２が接続されている。操作部６６は、吸引力調整機構６５のうち、ハンドピース２０の外部に露出した部分であり、使用者が指で操作する部分である。
【００３１】
吸引調整穴６７は、吸引流路６２と操作部６６とを連通する。図２のＢ方向矢視図に示すように、操作部６６には、吸引調整穴６７の開口部が形成されている。使用者は、ハンドピース２０を把持した際に、吸引調整穴６７を指で開閉する。吸引力調整機構６５は、使用者が閉塞する吸引調整穴６７の表面積の大きさに応じて、外部から吸引調整穴６７を介して吸引流路６２内に流入する空気の流入量を調整し、吸引流路６２内の圧力（以下、吸引圧力とも呼ぶ）を調整する。つまり、吸引力調整機構６５は、単位時間当たりの吸引量を調整する。
【００３２】
吸引調整穴６７は、噴射管５５が分離した後の吸引流路６２上に設けられている。換言すれば、吸引調整穴６７は、噴射管５５と吸引流路６２との分離部分より後端側の吸引流路６２上に設けられている。
【００３３】
吸引力調整機構６５は、重力に対して上方向に向けた場合には、吸引物が吸引調整穴６７から外部に極めて侵出しにくいので、その機能を好適に発揮する。ハンドピース２０を把持する際には、使用者は、吸引力調整機構６５を上方向に向け、操作部６６が備える吸引調整穴６７を指で下向きに押さえて吸引装置６０の単位時間当たりの吸引量を調整する。なお、吸引力調整機構６５を重力に対して上向きにして把持すると、吸引力調整機構６５の機能や、使用者の操作性が好適となるように液体噴射装置１０の各構成の位置を決定しているが、吸引力調整機構６５は、必ずしも上向きにしてハンドピース２０を使用することを使用者に強制するものではない。
【００３４】
信号ケーブル７２は、ハンドピース２０の後端部２２から挿入される。信号ケーブル７２に内挿されているプラスとマイナスとからなる２本の電極線７４は、アクチュエーター３０内の圧電素子３５に接続される。制御部７０から送信された駆動信号は、信号ケーブル７２内の電極線７４を介して圧電素子３５に送信される。圧電素子３５は、駆動信号に基づいて伸縮する。
【００３５】
以上説明したように、噴射流路５３は湾曲して分離しているので、吸引流路６２が噴射流路５３に対して曲がることによって分離する場合と比較して、吸引流路６２内に吸引物が詰まることを抑制することができる。吸引流路６２は、噴射流路５３の分離する部分において、略直線状に配置されているので、流路抵抗を低減し、さらに、吸引した吸引物が詰まることを抑制することができる。また、噴射流路５３は吸引流路６２に対して湾曲して分離しているが、噴射流路５３は液体の加圧が伝搬できれば湾曲していてもよい。噴射流路５３を吸引流路６２に対して湾曲に曲げることで、ハンドピース２０の長軸方向の中心軸に対して噴射流路５３がシフトし、使用者の指などで視界が妨げられにくい。
【００３６】
噴射流路５３を構成する接続チューブ５４は、吸引流路６２から分離後に、柱状形状であるハンドピース２０の長軸方向に略平行に配置される。従って、吸引流路６２をハンドピース２０内に収容するためにハンドピース２０の長軸方向に垂直な断面の経を拡大することを回避することができる。
【００３７】
吸引流路６２は、噴射管５５を内側に挿通してハンドピース２０の先端から外部に引き出されているので、吸引流路６２と噴射管５５とを合わせた管路の経を小さくすることができる。よって、使用者は、患部に噴射口５８を当てた際に、広い視野を確保することができる。
【００３８】
吸引調整穴６７は、噴射流路５３が分離した後の吸引流路６２上に設けられているので、吸引調整穴６７の開閉による吸引流路６２内の圧力変化の影響が、噴射流路５３に及ぶことを抑制することができる。つまり、吸引流路６２内の圧力に変化により、噴射流路５３が振れることを抑制する。よって、噴射管５５や噴射口５８が振れることを抑制でき、結果として、安定したパルス流を噴射させることができる。
【００３９】
本実施形態においては、吸引流路６２と噴射流路５３との分離部分はハンドピース２０の内部に形成されているので、分離部分がハンドピース２０の外部に形成されている場合と比較して、分離部分の強度を高めることができる。また、分離部分がハンドピース２０内に形成されることによって、使用者がハンドピース２０の操作時に、分離部分が変形したり、不要な振動をすることを回避することができる。結果として、安定したパルス流を噴射させることができる。また、吸引流路６２内の吸引圧力を安定させることができる。
【００４０】
上記実施形態と特許請求の範囲との対応関係としては、ハンドピース２０が特許請求の範囲に記載の収容器と対応し、噴射管５５が特許請求の範囲に記載の第１の流路に対応し、接続チューブ５４が特許請求の範囲に記載の第２の流路に対応する。
【００４１】
Ｂ．変形例：
なお、この発明は上記の実施形態や実施形態に限られるものではなく、その要旨を逸脱しない範囲において種々の態様において実施することが可能であり、例えば次のような変形も可能である。
（Ｂ１）変形例１：
上記実施形態においては、吸引流路６２から分離後の接続チューブ５４は、ハンドピース２０の柱状形状の長軸方向に略平行に配置されているとしたが、それに限らず、他の態様を採用するとしてもよい。図３は、変形例１としてのハンドピース２０ａの一例を示す説明図である。図示するように、吸引流路６２ａから分離後の接続チューブ５４ａが、ハンドピース２０ａの長軸方向に交差する方向に配置されているとしてもよい。このようにしても、噴射管５５ａは、吸引流路６２ａから湾曲して分離しているので、吸引流路６２ａが噴射管５５ａに対して曲がることによって分離する場合と比較して、吸引流路６２ａ内に吸引物が詰まることを抑制することができる。吸引流路６２ａは、噴射管５５ａの分離する部分において、略直線状に配置されているので、流路抵抗を低減し、さらに、吸引した吸引物が詰まることを抑制することができる。また、噴射管５５ａは吸引流路６２ａに対して湾曲して分離しているが、噴射管５５ａは液体の加圧が伝搬できれば湾曲していてもよい。
【００４２】
（Ｂ２）変形例２：
上記実施形態においては、液体噴射装置１０は、吸引力調整機構６５（操作部６６と吸引調整穴６７）を備えるとしたが、吸引力調整機構６５を備えないとしてもよい。このようにしても、上記実施形態と同様の効果を得ることができる。
【００４３】
（Ｂ３）変形例３：
上記施形態においては、噴射流路５３と吸引流路６２との分離部分においては、吸引流路６２は略直線状に配置されている態様を採用したが、吸引流路６２は、分離部分において、噴射流路５３の湾曲より小さい曲率の曲線状に配置されているとしてもよい。このようにしても、上記実施形態と同様の効果を得ることができる。
【００４４】
（Ｂ４）変形例４：
上記実施形態においては、液体噴射装置１０は、医療機器として利用されている。ただし、液体噴射装置１０は、医療機器以外の他の装置として利用されてもよい。例えば、液体噴射装置１０は、噴射した液体を対象物に当てることによって対象物の汚れを除去する清掃装置や、噴射した液体によって文字や絵等を描く描写装置として利用されてもよい。このような態様としても、上記実施形態と同様の効果を得ることができる。
【００４５】
（Ｂ５）変形例５：
上記実施形態においては、液体として生理食塩水を採用したが、それに限らず、無菌水や、超純水など、種々の液体を採用することができる。
【００４６】
（Ｂ６）変形例６：
上記実施形態においては、吸引調整機構が調整する吸引の程度として、単位時間あたりの吸引量を用いたが、それに限らず、例えば吸引力を用いるなど、吸引の程度を規定可能な種々の物理量を採用し、当該物理量を調整するとしてもよい。
【００４７】
（Ｂ７）変形例７：
上記実施形態においては、ハンドピース２０の先端部２４から引き出された噴射管５５と吸引流路６２との配置関係として、噴射管５５が吸引流路６２の内側を内挿する態様を採用したが、それに限ることなく、例えば、噴射管５５の外壁と吸引流路６２の外壁とが隣接して先端部２４から引き出される態様を採用するなど、種々の態様を採用することができる。噴射口５８の周辺の液体を吸引口６４から吸引するためには、上記実施形態や本変形例のように、噴射管５５と吸引流路６２とが一体的に先端部２４から引き出される態様が好適である。
【符号の説明】
【００４８】
１０…液体噴射装置
２０，２０ａ…ハンドピース
２２…後端部
２４…先端部
３０…アクチュエーター
３１…第１ケース
３２…第２ケース
３３…第３ケース
３４…ボルト
３５…圧電素子
３６…補強板
３７…ダイアフラム
３８…パッキン
３９…液体室
４０…入口流路
４１…出口流路
５０…液体供給部
５１…接続チューブ
５２…液体供給流路
５３…噴射流路
５４，５４ａ…接続チューブ
５５，５５ａ…噴射管
５８…噴射口
６０…吸引装置
６２，６２ａ…吸引流路
６４…吸引口
６５…吸引力調整機構
６６…操作部
６７…吸引調整穴
７０…制御部
７１…制御ケーブル
７２…信号ケーブル
７４…電極線
７５…フットスイッチ
８０…液体容器
【図１】
2014188241.tif 000003
【図２】
2014188241.tif 000004
【図３】
2014188241.tif 000005